(57)【要約】【課題】  コンパクトで製造しやすく、軽い操作力で紙等に穴を開けることのできる垂直押圧形の事務用パンチを提供する。【解決手段】  本発明の事務用パンチ1は、パンチング部3と、パンチング部3を保持する台座部2とを備え、パンチング部3は、穿孔刃34と、アーム33と、アーム33を押し上げる第一バネ37とを備え、台座部2は穿孔刃34が貫通する台座上部穴を有する事務用パンチ1において、アーム33に接続する垂直押圧部4を備え、垂直押圧部４は平行クランクの機構を有する。【選択図】      図２
2007125655.tif 000002
【特許請求の範囲】
【請求項１】
パンチング部と、当該パンチング部を保持する台座部とを備え、前記パンチング部は、穿孔刃と、アームと、当該アームを押し上げる第一バネとを備え、前記台座部は前記穿孔刃が貫通する台座上部穴を有する事務用パンチにおいて、
前記アームに接続する垂直押圧部を備えると共に、平行クランク部により前記垂直押圧部を前記台座部に固定していることを特徴とする事務用パンチ。
【請求項２】
前記垂直押圧部は、可動ベース板を備え、当該可動ベース板と前記アームと接続するクランク部を有し、
前記垂直押圧部を台座部に固定する平行クランク部は、２本の脚が中心で交差してなるＸ脚を備え、
前記可動ベース板は、前記Ｘ脚の一方の脚の上部を支持する上部ガイド溝を有すると共に、前記Ｘ脚の他方の脚の上部を回動可能に固定支持し、
前記台座部は、前記上部ガイド溝と平行で、前記Ｘ脚の一方の脚の下部を支持する下部ガイド溝を有すると共に、前記Ｘ脚の他方の脚の下部を回動可能に固定支持していることを特徴とする請求項１に記載の事務用パンチ。
【請求項３】
前記Ｘ脚の下端近傍には、２本の脚の端部を接続する第二バネを有することを特徴とする請求項１又は請求項２に記載の事務用パンチ。
【請求項４】
前記可動ベース板の背面部には突起を備え、
前記台座部は背面板を有し、当該背面板には前記突起と咬合する鉤具を備えることを特徴とする請求項２又は請求項３に記載の事務用パンチ。
【請求項５】
前記垂直押圧部は、上面にハンドルを有することを特徴とする請求項１乃至請求項４のいずれかに記載の事務用パンチ。
【請求項６】
前記台座部には、紙屑を収納する紙屑収納空間と、当該紙屑収納空間に溜まった紙屑を外部に排出するための紙屑収納ケースとを有することを特徴とする請求項１乃至請求項５のいずれかに記載の事務用パンチ。
【発明の詳細な説明】
【技術分野】
【０００１】
本発明は、事務用パンチに関するものである。
【背景技術】
【０００２】
一般に紙にファイル用の穴をあける事務用パンチとしては、図７に示すように台座とアームを軸支する支持台との間にある隙間に、紙等を挿入して位置合せをした後、アームの自由端を押圧すると、アームの自由端は固定部を中心に円運動を行い、アームの脚部と支持台に内蔵された穿孔刃が降下して穴をあけ、手を離すと内蔵されている圧縮バネにより、アームが元の位置に復帰するようになっている。
【０００３】
しかし、このような従来の事務用パンチはアームを押圧すると、アームが回転運動をするため、力を充分にかけにくく、穴を開ける力を小さくするためにはアームを長くする必要があり、結果的に事務用パンチ本体の大きさを大きくする必要があるため収納に支障をきたしていた。
【０００４】
このような問題点を解決するために、例えば実開昭６２−１０６７９９号公報（特許文献１）では、アームが２つの穿孔刃の中心の上方に位置しており、当該アームを垂直に押圧する押圧部を設けることにより紙に穴をあける考案がなされている。この考案によればアームを大きくすることなく、コンパクトな事務用パンチを提供できる。
【０００５】
しかし、このような従来の事務用パンチは、押圧部を上下方向のみの移動としつつ移動量を大きくすることが困難であり、又、アームを押し上げるために圧縮バネを穿孔刃の周囲に配置しているも、穿孔刃の周囲にあるバネのみでアームを押し上げるには、大きなバネ定数を持つバネを用いる必要があり、バネを圧縮した状態のまま事務用パンチを組み立てることも困難であった。
【特許文献１】実開昭６２−１０６７９９号公報
【発明の開示】
【発明が解決しようとする課題】
【０００６】
本発明は、上述したような従来技術の問題点に鑑みてなされたものであり、小さな力で垂直に荷重をかけることで穴を容易に開けることができ、又、小さなバネ定数のバネを使用することで組み立てやすくし、それでいてコンパクトな事務用パンチを提供することを目的としている。
【課題を解決するための手段】
【０００７】
請求項１の発明の事務用パンチ(1)は、パンチング部(3)と、パンチング部(3)を保持する台座部(2)とを備え、パンチング部(3)は、穿孔刃(34)と、アーム(33)と、アーム(33)を押し上げる第一バネ(37)とを備え、台座部(2)は穿孔刃(34)が貫通する台座上部穴を有する事務用パンチ(1)において、アーム(1)に接続する垂直押圧部(4)を備えると共に、平行クランク部(52)により垂直押圧部(4)を台座部(2)に固定していることを特徴とするものである。
請求項１の発明によれば、垂直押圧部(4)に垂直に荷重を加えることで紙などに穴を開けることができる。
【０００８】
請求項２の発明は、請求項１に記載の事務用パンチ(1)において、垂直押圧部(4)は、可動ベース板(61)を備え、可動ベース板(61)とアーム(33)と接続するクランク部(51)を有し、垂直押圧部(4)を台座部(2)に固定する平行クランク部(52)は、２本の脚が中心で交差してなるＸ脚(62)を備え、可動ベース板(61)は、Ｘ脚(62)の一方の脚の上部を支持する上部ガイド溝(70)を有すると共に、Ｘ脚(62)の他方の脚の上部を回動可能に固定支持し、台座部(2)は、上部ガイド溝(70)と平行で、Ｘ脚(62)の一方の脚の下部を支持する下部ガイド溝(18)を有すると共に、Ｘ脚(62)の他方の脚の下部を回動可能に固定支持していることを特徴とするものである。
請求項２の発明によれば、上部ガイド溝(70)と下部ガイド溝(18)を設けることにより、平行クランク部(52)の可動をスムーズにすることができる。
【０００９】
請求項３の発明は、請求項１又は請求項２に記載の事務用パンチ(1)において、Ｘ脚(62)の下端近傍には、２本の脚の端部を接続する第二バネ(68)を有することを特徴とするものである。
請求項３の発明によれば、第一バネとした圧縮バネ(37)と第二バネとした伸長バネ(68)の両方でアーム(33)を元の位置に復帰させるため、各々のバネにバネ定数の弱いものを用いることができ、特に伸長バネ(68)は、アーム(33)の力点に作用する位置に取り付けているため、アーム(33)を戻す場合にも梃子の作用が働き、これによりバネ定数の弱いバネを用いることができる。
【００１０】
請求項４の発明は、請求項２又は請求項３に記載の事務用パンチ(1)において、可動ベース板(61)の背面部には突起(71)を備え、台座部(3)は背面板(15)を有し、背面板(15)には突起(71)と咬合する鉤具(20)を備えることを特徴とするものである。
請求項４の発明によれば、平行クランク部(52)が限界まで可動している状態のまま、突起(71)と鉤具(20)とで固定をすることができ、これによりコンパクトに収納することができる。
【００１１】
請求項５の発明は、請求項１乃至請求項４のいずれかに記載の事務用パンチ(1)において、垂直押圧部(4)は、上面にハンドル(57)を有することを特徴とするものである。
請求項５の発明によれば、ハンドル(57)を設けることにより容易に押圧することができる。
【００１２】
請求項６の発明は、請求項１乃至請求項５のいずれかに記載の事務用パンチ(1)において、台座部(2)には、紙屑を収納する紙屑収納空間(16)と、紙屑収納空間(16)に溜まった紙屑を外部に排出するための紙屑収納ケース(17)とを有することを特徴とするものである。
請求項６の発明によれば、穴を開けたときに発生する紙屑が散乱することを防ぐことができ、又、溜まった紙屑を容易に排出することができる。
【発明の効果】
【００１３】
本発明によれば、小さな力を垂直方向に加えることで、垂直押圧部を上下に大きく動かせて穿孔刃により容易に紙等に穴を開けることができ、又、小さなバネ定数のバネを使用することで組み立てが容易であり、且つコンパクトな事務用パンチを提供することができる。
【発明を実施するための最良の形態】
【００１４】
本発明を実施するための最良の形態の事務用パンチ1は、台座部2と、パンチング部3と、垂直押圧部4とを備える。この台座部2は、側壁部11を両側に有し、底面板12と、正面板13と、区画板14とを備え、更に、正面近傍に紙屑を収納する紙屑収納空間16が配置され、紙屑収納ケース17を紙屑収納空間16の底部に有するものである。又、側壁部11の内側面の下部には、水平に下部ガイド溝18を有している。
【００１５】
そして、パンチング部3は、穿孔刃34を支持するパンチング支持台31と、穿孔刃34を外力により押し下げるアーム33と、アーム33を押し上げる圧縮バネ37とを有する。
【００１６】
更に、垂直押圧部4は、可動ベース板61とこの可動ベース板61の上面に取付けられたハンドル57を有し、可動ベース板61とアーム33と接続するクランク部51と、可動ベース板61を支持する平行クランク部52とを備え、平行クランク部52は２本の脚を中心でクロスさせたＸ脚62を台座部2の左右に２組平行に配置して形成しているものである。又、Ｘ脚62の下部近傍には各々伸長バネ68を備えている。そして、Ｘ脚62の一方の脚の上端は可動ベース板61に回転可能に固定され、この脚の下端は下部ガイド溝18へ摺動可能に取り付けられ、Ｘ脚62の他方の脚は下端を台座部2に回動可能に固定され、上端は可動ベース板61に設けた上部ガイド溝70に摺動可能に取付けられている。
【００１７】
本実施の形態によれば、ハンドル57を垂直に押圧することで紙などに穴を開けることができる事務用パンチ1を提供できる。又、圧縮バネ37と伸長バネ68の両方でアーム33を元の位置に戻すが、特に伸長バネ68は、アーム33の力点に作用する位置に取り付けているため、アーム33を戻す場合にも梃子の作用が働き、これによりバネ定数の弱いバネを用いることができ、製造者は事務用パンチ1を組み立てることが容易になり、又、使用者は、事務用パンチ1を使用するときの力が少なく、軽い操作力で操作することが可能となる。
【実施例】
【００１８】
以下、本発明の実施例を図に基づいて詳説する。本実施例の事務用パンチ1は図１〜図３に示すように、台座部2と、パンチング部3と、垂直押圧部4とから構成されている。
【００１９】
台座部2は、底面が長方形であり、厚肉空洞の側壁部11を両側に有し、底面板12と、前面及び上面が一体成型された正面板13と、区画板14と、略Ｕ字形の背面板15とから構成されており、更に、紙屑収納空間16と、紙屑収納ケース17とを備える。側壁部11の内側面の下部には、水平に下部ガイド溝18が設けられており、下部ガイド溝18の延長線上で背面板15の近傍には下部固定穴が成型されている。この下部ガイド溝18と下部固定穴の機能については後述する。
【００２０】
紙屑収納空間16は、両側壁部11と正面板13と区画板14とに囲まれており、紙屑収納空間16の上部には、穿孔刃34が貫通する台座上部穴19が両側壁近傍に２つ成型されている。この台座上部穴19は、パンチング時に穿孔刃34が貫通できるようにするために設けており、パンチング時に発生する紙屑が穿孔刃34と一緒に貫通して空間内に収納されるようになっている。そして、紙屑収納空間16の底部は開口しており、当該開口部に紙屑収納ケース17が嵌脱自在に取付けられている。この紙屑収納ケース17は、紙屑収納空間16に溜まった紙屑を外部に廃棄しやすいように設けているものである。又、紙屑収納ケース17の底面には滑り止めが取付けられている。そして、背面板15には回転可動する鉤具20が取付けられている。この鉤具20の機能については後述する。
【００２１】
パンチング部3は、２個を１組とするパンチング支持台31と、この左右の各パンチング支持台31を台座部2に固定する際に台座部2との間に夫々１枚ずつ挿入される２枚のスペーサー32と、アーム33と、２本の穿孔刃34と、アーム支持軸35と、穿孔刃支持軸36と、第一バネである２つの圧縮バネ37とから構成されている。ここで、２つある部材は夫々事務用パンチ1の左右に向かい合って対称に配置されるものであり符号は統一している。
【００２２】
台座部2の左右に設ける各パンチング支持台31は、側面が略台形であり、この側面を２つ向かい合わせて上底と下底を水平面で接続して一体となった形状である。この上下の水平面には穿孔刃34が貫通するための上底穴と下底穴が成型されている。又、側面には穿孔刃支持軸36を支持するための支持台レール溝38が向かい合う２面に成型されており、上底穴と下底穴を結ぶ直線上に縦に成型されている。更に、側面の正面近傍には正面開口溝39が向かい合う２面に成型されており、アーム支持軸35が当該箇所に挿入される。
【００２３】
そして、各パンチング支持台31は上底穴と下底穴と台座上部穴19の中心が同一直線上に来るように、台座部２の側壁部11の上面にスペーサー32を介して螺子等で固定されている。このようにスペーサー32を介すことにより台座部2の上部とパンチング支持台31の底部との間に隙間を形成し、この隙間に穴を開ける紙等を挿入することができる。尚、スペーサー32を設けずに、パンチング支持台31の底面部に段差をつけて加工することでも同様の隙間を作ることができる。
【００２４】
穿孔刃34は、円柱形状の棒状体であり、下方端部には刃を有し、紙等に容易に穴を開けられるようになっている。又、穿孔刃34の中央上方部には、穿孔刃支持軸36を通すための穿孔刃穴が側面を貫いて成型されている。
【００２５】
アーム33は、左右対称に向かい合っている２枚の側面板と、当該２枚の側面板を接続する接続板とからなり、側面板は鉤型形状である。アーム33の基部側端部近傍の向かい合う両側面には、アーム支持軸35が貫通するアーム取付穴と、穿孔刃支持軸36が貫通する穿孔刃支持穴が成型されており、又、先端部近傍には後述するクランク板53と接続するクランク接続穴が成型されている。尚、夫々の穴は向かい合う側面板の対称の位置に成型されている。
【００２６】
アーム支持軸35は、正面開口溝39とアーム取付穴を穿通して、パンチング支持台31と、アーム33とを軸着している。そして、両端部を係止ピンなどで固定している。又、穿孔刃支持軸36は、パンチング支持台31の支持部レール溝と、穿孔刃穴と、アーム33の穿孔刃支持穴とを穿通して、パンチング支持台31と、穿孔刃34と、アーム33とを軸着している。そして、両端部を係止ピンなどで固定している。尚、端部の固定方法は係止ピンに限らず、穴や溝から軸が抜けなければどんな形状又は構造でもよい。
【００２７】
又、第一バネとした圧縮バネ37が穿孔刃34の周縁を囲うように配置されており、この圧縮バネ37は、穿孔刃支持軸36とパンチング支持台31の底面との間に圧接されている。
【００２８】
そして、パンチング部3は、アーム33の先端部を力点、アーム支持軸35を支点、穿孔刃支持軸36を作用点とする梃子となっている。力点であるアーム33の先端部を押圧すると、支点を回動中心として、作用点である穿孔刃支持軸36と一緒に穿孔刃34も下がり、パンチング支持台31と台座部2の上部との間にある隙間にセットされた紙等に穴を開けることができる。アーム33を限界まで押圧すると、アーム33の先端部は台座部2の底面板12の近傍まで至る。
【００２９】
又、図示しないが台座部2の区画板14には台座部2上方に突出する紙止めが取付けられており、台座部2とパンチング支持台31との間に紙を挿入すると、紙止めに支持されて一定の場所に穴を開けることができる。この紙止めは可動式でも固定式でもどちらでも装着可能である。
【００３０】
垂直押圧部4は、クランク部51と、可動ベース板61と、平行クランク部52等から構成されている。又、クランク部51は、クランク板53と、アーム接続軸54と、クランク板固定軸55とから構成されている。クランク板53は略楕円形状であり、このクランク板53を２枚向かい合わせて配置し、接続板で２枚のクランク板53が接続されている。クランク板53の一端にはクランク板固定軸55が貫通するクランク上穴が成型されており、他端にはアーム接続軸54が貫通するクランク下穴が成型されている。尚、夫々の穴は向かい合う側面板の対称の位置に成型されている。
【００３１】
アーム接続軸54は、アーム33先端近傍のクランク接続穴と、クランク下穴と穿通してアーム33とクランク板53とを軸着している。そして、両端部を係止ピンなどで固定している。
【００３２】
可動ベース板61は、上面形状が略コの字型であり、正面側に開口が位置し、背面側の上面にハンドル固定面が位置している。可動ベース板61の両側面の中央近傍にはクランク板53と接続するためのクランク板固定部56が、両側面で向かい合うように設けられている。又、両側面の正面側の端部近傍から中心近傍まで上部ガイド溝70が成型され、両側面の背面近傍には上固定穴が成型されている。
【００３３】
可動ベース板61のハンドル固定面の上面にはハンドル57が螺子等で固定されている。更に、可動ベース板61のクランク板固定部56にはクランク板固定軸55が貫通する固定軸穴が成型されている。又、可動ベース板61の背面には突起71が設けられている。この突起71の機能については後述する。
【００３４】
ハンドル57は、上面が中心に向かってなだらかに盛り上がった円形板である。このように上面が盛り上がっていることにより、手の平で押圧しやすくなり、よってパンチング時に力が加えやすくなる。
【００３５】
クランク板固定軸55は、可動ベース板61の固定軸穴と、クランク板53のクランク上穴とを穿通して、可動ベース板61とクランク板53とを軸着している。そして、両端部を係止ピンなどで固定している。
【００３６】
平行クランク部52は、２組のＸ脚62と、上部固定軸63と、２つの上部可動軸ピンと、２つの中心軸ピン65と、下部固定軸66と、下部可動軸67と、第二バネである２つの伸長バネ68とから構成されている。
【００３７】
２組のＸ脚62は、各々２枚の細長の板を中心で交差させ、この交差点を中心軸ピン65で回転自由に軸止めし、この２組のＸ脚62を平行に対向させて配置するようにし、２組のＸ脚62の各々対向する脚を相互に接続部材で接続している。又、Ｘ脚62の上下両端部近傍には、各々Ｘ脚上固定穴、Ｘ脚下固定穴、Ｘ脚上可動穴、Ｘ脚下可動穴が成型されている。
【００３８】
上部固定軸63は、可動ベース板61の上固定穴と、Ｘ脚62のＸ脚上固定穴とを穿通し、可動ベース板61と平行クランク部52を軸着しており、両端部を係止ピンなどで固定している。又、上部可動軸ピン64は、可動ベース板61の両側面の上部ガイド溝70と、Ｘ脚上可動穴とを軸着しており、上部ガイド溝70に沿ってＸ脚62の上端を横にスライド可能に保持している。
【００３９】
下部固定軸66は、台座部2の両側壁部11の下部固定穴と、Ｘ脚62のＸ脚下固定穴とを穿通して、台座部2とＸ脚62とを軸着しており、端部を係止ピンなどで固定している。下部可動軸67は、台座部2の下部ガイド溝18と、Ｘ脚62のＸ脚下可動穴とを穿通し、台座部2とＸ脚を軸着しており、下部ガイド溝18に沿ってＸ脚62の下端を横にスライド可能に保持している。又、下部固定軸66と下部可動軸67との間には両軸を接続する伸長バネ68が、Ｘ脚62の下部の外側面と台座部2の側壁部11の内側面との間に取付けられている。
【００４０】
次に、これまで述べてきた部材の主要部の大きさについて述べる。図４、図５に示すように可動ベース板61の両側面間の外幅aは、台座の両側壁部11の内面間の距離bより小さく成型されており、又、台座部2の両側壁部11の高さeは、平行クランク部52が限界まで伸縮したときの高さfより高く成型されている。これにより、平行クランク部52を限界まで押縮したとき、この平行クランク部52が台座の両側壁部11の間に収納することができる。そして、アーム33部の幅狭部の幅dは、可動ベース板61の両側面間の内幅cより小さく成型されており、これにより、平行クランク部52が伸縮するとき、アーム33の先端部が可動ベース板61の開口部の中を通ることが可能となる。
【００４１】
次に、本実施例の事務用パンチの動作について述べる。図２から図６に示すように、ハンドル57を上から真下に押圧すると、上部可動軸ピン64と下部可動軸67とが、それぞれ上部ガイド溝70と下部ガイド溝18とに沿って正面側に水平にスライドし、平行クランク部52の高さが低くなる。このとき、下部固定軸66と下部可動軸67との間の伸長バネ68は段々伸びていく。そしてハンドル57部を限界まで押し下げると台座部2の両側壁部11の間に平行クランク部52は完全に収納される。
【００４２】
ハンドル57部を真下に押圧することにより、平行クランク部52に接続しているアーム33の上端は下に押圧されることになる。そして、ハンドル57部を限界まで押し下げると、穿孔刃34も限界まで下に下がり、穿孔刃34の先端は台座上部穴19を貫通して紙屑収納空間16まで至る。
【００４３】
そして、このように平行クランク部を限界まで押縮したときは、上部ガイド溝70と下部ガイド溝18が近接することになり、可動ベース板61が、台座側壁部11の中に隠れる。前述した、鉤具20と突起71はこの状態のときに鉤具20を突起71に掛止することにより、この状態のまま保持することができ、小さい状態のまま収納可能となる。
【００４４】
ハンドル57への押圧をやめたときは、圧縮バネは穿孔刃支持軸36を上に押し上げる動きをし、伸長バネ68は下部固定軸66と下部可動軸67とを引っ張る動きをする。これにより、平行クランクが元の状態に戻り、他の部品も同様に元の状態に復帰する。
【００４５】
本実施例の２つのバネを用いる場合と、従来のように１つのバネでアーム33を自由状態時に戻す場合とで、実際にバネに掛かる荷重を測定したところ、結果は、従来の場合は圧縮バネに掛かる荷重は７８Ｎであったが、本実施例の場合では圧縮バネ37と伸長バネ68とに掛かる荷重の合計は４７Ｎであり、従来に比べて６０％の荷重であった。これらの荷重はバネ単体での合計動作荷重であるが、アームを介在したときの荷重は、従来は２０Ｎであり、本実施例では８Ｎであり、従来に比べて４０％の荷重であった。
尚、これらの荷重は事務用パンチ1の材質や大きさが変わることで変化するものであり、この数値に限定するものではない。
【００４６】
本実施例によれば、Ｘ脚の平行クランク部52により可動ベース板61を上下方向に大きく平行移動させることができ、ハンドル57の上下動作によるペーパーの穿孔荷重を小さくすることができる。又、一般的にはアーム33を戻すための圧縮バネ37は穿孔刃34の周囲に装着され大きなバネ定数のものを用いていたが、圧縮バネ37と伸長バネ38との２つに分け、更に、伸長バネ38である第二バネは、アーム33の力点に作用する関係位置に取付けているため、伸長バネ38の復帰時にも梃子の作用が働き、これにより小さなバネ定数の圧縮バネ37や伸長バネ38を用いることが可能となり、組み立てやすい事務用パンチ1を提供できる。よって、製造側の見地からは組み立てやすく、使用者側の見地からは力が少なくてすむ軽い操作力の事務用パンチ1を提供することができる。
【００４７】
尚、本実施例では下部ガイド溝18を台座に設けたが平行クランクの下部に下部可動ベース板を設け、この下部可動ベース板に下部ガイド溝を成型し、この下部可動ベース板を台座と一体成型することも可能である。更に、平行クランクの代わりに空気圧を用いることも可能である。
【図面の簡単な説明】
【００４８】
【図１】事務用パンチの斜視図。
【図２】事務用パンチの横断面図。
【図３】事務用パンチの側面図。
【図４】事務用パンチの上面図。
【図５】平行クランクが限界まで伸縮した時の事務用パンチの横断面図。
【図６】平行クランクが伸縮途中の事務用パンチの横断面図。
【図７】従来の事務用パンチの斜視図。
【符号の説明】
【００４９】
1  事務用パンチ                    2  台座部
3  パンチング部                    4  垂直押圧部
11  側壁                          12  底面板
13  正面板                        14  区画板
15  背面板                        16  紙屑収納空間
17  紙屑収納ケース                18  下部ガイド溝
19  台座上部穴                    20  鉤具
31  パンチング支持台              32  スペーサー
33  アーム                        34  穿孔刃
35  アーム支持軸                  36  穿孔刃支持軸
35  圧縮バネ                      38  支持台レール溝
39  正面開口溝                    51  クランク部
52  平行クランク部                53  クランク板
54  アーム接続軸                  55  クランク板固定軸
56  クランク板固定部              57  ハンドル
61  可動ベース板                  62  Ｘ脚
63  上部固定軸                    64  上部可動軸ピン
65  中心軸ピン                    66  下部固定軸
67  下部可動軸                    68  伸長バネ
70  上部ガイド溝                  71  突起
【図１】
2007125655.tif 000003
【図２】
2007125655.tif 000004
【図３】
2007125655.tif 000005
【図４】
2007125655.tif 000006
【図５】
2007125655.tif 000007
【図６】
2007125655.tif 000008
【図７】
2007125655.tif 000009